(57)【要約】【課題】通信用ラックの取り付けスペースの有効活用を可能にするパッチパネルの設置機構を提供することにある。【解決手段】ケーブルコネクタ３８を有するコネクタパネル１２を通信用ラックの構成部材間のスペースに取り付けるためのパッチパネルの設置機構１０であって、コネクタパネル１２とブラケット１６を有する。ブラケット１６は、通信用ラックに固定されるブラケット固定部２０とコネクタパネル１２が取り付けられるコネクタパネル取付部２４を有し、コネクタパネル取付部２４は所定長さの間でスライド移動可能に構成されている。ブラケット１６のコネクタパネル取付部２４は、２つの部材をヒンジ部２８を介して連結して構成されたスライド部２４ｃを有し、コネクタパネル１２の取り付けは２つの部材の一方の部材にて行われ、スライドは少なくともコネクタパネル１２を取り付けた一方の部材及びヒンジ部２８が外方へ突出する位置まで可能とされている。【選択図】図１
2011060988.tif 000002
【特許請求の範囲】
【請求項１】
コネクタを有するコネクタパネルを通信用ラックの構成部材間のスペースに取り付けるためのパッチパネルの設置機構において、
前記コネクタパネルは、前記構成部材の１つに１箇所で取り付けたことを特徴とするパッチパネルの設置機構。
【請求項２】
前記コネクタパネルの前記構成部材への取り付けは、ブラケットを介して行われ、
該ブラケットは、前記通信用ラックの構成部材に固定されるラック固定部と、該ラック固定部での固定状態で前記コネクタパネルが取り付けられるコネクタパネル取付部と、を有し、
該コネクタパネル取付部は、前記通信用ラックの構成部材に対して所定長さの間でスライド移動可能に構成されたことを特徴とする請求項１に記載のパッチパネルの設置機構。
【請求項３】
前記ブラケットの前記コネクタパネル取付部は、２つの部材をヒンジ部を介して連結して構成され、
前記コネクタパネルの取り付けは、前記２つの部材の一方の部材にて行われ、
前記スライドは、少なくとも、前記コネクタパネルを取り付けた前記一方の部材及び前記ヒンジ部が外方へ突出する位置まで可能とされたことを特徴とする請求項２に記載のパッチパネルの設置機構。
【請求項４】
前記ブラケットの前記コネクタパネル取付部には前記コネクタパネルをネジ止めするためのコネクタパネル固定片が設けられ、
前記コネクタパネルは、略直交する複数の外側壁を有し、該各外側壁にはそれぞれネジ穴が形成され、
前記コネクタパネルの前記コネクタパネル取付部への取り付けは、前記ネジ穴と前記コネクタパネル固定片でのネジによる締結によって行われることを特徴とする請求項２又は３に記載のパッチパネルの設置機構。
【発明の詳細な説明】
【技術分野】
【０００１】
本発明は、パッチパネルの設置機構、特に、光ファイバコード、ＵＴＰケーブル、ＳＴＰケーブル等を接続収容するパッチパネルの設置機構に関する。
【背景技術】
【０００２】
図６（ａ）は、従来の、通信用ラックに取り付けられた既存のパッチパネルの概略斜視図である。図６（ｂ）は同図（ａ）の既存のパッチパネルの前面側の拡大斜視図である。通信用ラック３２は、１９インチラックを例として示しており、その他にも２３インチラック等がある。通信用ラック３２には、構成部材である４本のマウントアングル３４−１〜３４−４が設けられており、側部は本体４４で覆われる。パッチパネル３６は、薄型の箱体形状であり、光ファイバコード、ＵＴＰケーブル、ＳＴＰケーブル等の中継、管理等を行う通信機器の１つである。パッチパネル３６は、各マウントアングル３４に形成されたネジ穴４８を利用して、２本のマウントアングル３４−１、３４−２に架け渡して固定される。固定の際にはブラケット４２が使用される。なお、１９インチラックの名称は、通信機器を取り付ける２本のマウントアングル３４−１、３４−２のネジ穴４８の水平間隔が１９インチであることからそのように呼ばれ、ＥＩＡ規格、ＪＩＳ規格になっている。また、高さ方向は、Ｕ（ユニット、ＥＩＡ規格では１ユニットは４４．４５ｍｍ、ＪＩＳ規格では５０ｍｍ）という単位で規定され、取り付けられる通信機器、通信装置はその高さにより１Ｕ、２Ｕサイズといった呼び方がされる。なお、通信用ラック３２の奥行き寸法には規定がない。
【０００３】
パッチパネル３６には、コネクタ３８が、プラグの挿入面を同一にして、縦に２個、横に２４個並べて配置されている。そのために、通信用ラック３２の前面側は、コネクタ３８にプラグが容易に抜き差しできるように作業用のスペースが設けられている。前面側にそのスペースがない場合には、通信用ラック３２の背面側にもパッチパネル３６を搭載可能な構造を有しているが、その場合、他の通信機器、通信装置に配線される電源ケーブル等が障害となり、作業や管理等が困難な場合が多い。
【０００４】
パッチパネル３６の使用時には、パッチパネル３６の上下に搭載されるネットワーク装置等の配線と干渉を防ぐため、パッチパネル３６に接続されたＳＣコネクタ付きコード４０は、通信用ラック３２の本体４４側に整線される。図６ではＳＣコネクタ付きコード４０が整線されている様子も示している。
【０００５】
なお、パッチパネル３６やネットワーク装置は、前述のように１９インチラック３２のマウントアングル３４−１、３４−２に、取付用のブラケット４２を用いて、架け渡されて取り付けられる。このようなパッチパネル３６は、通信用ラック３４の上下の位置を変えて取り付けること、背面側に取り付けることは可能であるが、その他の態様では取り付けることができない。
【０００６】
既存のパッチパネルに関しては、例えば、特許文献１には、パネルの前面側からモジュラジャックを着脱できるパッチパネルが開示されている。また、特許文献２には、ケーブルが最小曲げ半径以下に曲げられると、銅線パッチコードを介して信号を伝送する際に悪影響を及ぼす恐れがあるが、このようなケーブル管理の問題に対応したパッチパネルが開示されている。更に、特許文献３には、パッチパネルに接続される光ファイバ等のコードを整線するためのコードのガイド構造が開示されており、これによりコードの引き回し作業の簡単化が図られている。
【先行技術文献】
【特許文献】
【０００７】
【特許文献１】特許第３４８２９０７号公報
【特許文献２】特表２００２−５１７８９０号公報
【特許文献３】特開２００６−５９９８４号公報
【発明の概要】
【発明が解決しようとする課題】
【０００８】
通信用ラック３２は、上述のように水平間隔が規格で定められている。そのため、例えば、１Ｕサイズのパッチパネル３６の場合、２４ポート構成が一般的であるが、このような２４ポート／１Ｕのパッチパネル３６に対して、実際には数ポートしか使用しない場合においても、通信用ラック３２の背面側のスペースが有効に活用できないため、１Ｕサイズの従来のパッチパネル３６を通信用ラック３２の前面側に搭載せざるを得ない。したがって、通信用ラック３２のマウントアングル３４の間の空間が、パッチパネル３６の架設により仕切られるので、他のネットワーク装置の搭載スペースがなくなり、通信用ラック３２のスペースが有効に活用されていなかった。
【０００９】
本発明は、上記課題に鑑みてなされたものであり、その目的は、通信用ラックの取り付けスペースの有効活用を可能にするパッチパネルの設置機構を提供することにある。
【課題を解決するための手段】
【００１０】
上記目的を達成するため、請求項１に記載のパッチパネルの設置機構は、
コネクタを有するコネクタパネルを通信用ラックの構成部材間のスペースに取り付けるためのパッチパネルの設置機構において、
前記コネクタパネルは、前記構成部材の１つに１箇所で取り付けたことを特徴とする。
【００１１】
この構成により、パッチパネルが通信用ラックの前面側だけでなく、背面側にも搭載可能になる。また、これまでのように通信用ラックの構成部材間への架け渡し状態が生じないことから、構成部材間の空間がパネルによって仕切られることがない。したがって、通信用ラックのスペースを無駄にすることなく有効に活用することができる。また、コネクタパネルの通信用ラックへの取り付け方向が限定されず、コネクタへのプラグの抜き差し等が容易なものとなり、ＳＣコネクタ付きコード等の中継及び管理を行う作業がより的確なものとなる。更に、実際に使用するポート数分だけの構成となるので、既存パッチパネルに対して低コスト化が実現できる。
【００１２】
請求項２に記載のパッチパネルの設置機構は、請求項１に記載のパッチパネルの設置機構において、
前記コネクタパネルの前記構成部材への取り付けは、ブラケットを介して行われ、該ブラケットは、前記通信用ラックの構成部材に固定されるラック固定部と、該ラック固定部での固定状態で前記コネクタパネルが取り付けられるコネクタパネル取付部と、を有し、該コネクタパネル取付部は、前記通信用ラックの構成部材に対して所定長さの間でスライド移動可能に構成されたことを特徴とする。
【００１３】
したがって、構成部材へコネクタパネルがブラケットのラック固定部を介して取り付けられた後でもコネクタパネルが所定長さ移動できるので、ＳＣコネクタ付きコード等が密集している状況を回避して、所定のＳＣコネクタ付きコードの差し込み、引き抜き等を行うことができ、ＳＣコネクタ付きコード等の中継及び管理の作業を一層容易に行うことが可能である。
【００１４】
請求項３に記載のパッチパネルの設置機構は、請求項２に記載のパッチパネルの設置機構において、
前記ブラケットの前記コネクタパネル取付部は、２つの部材をヒンジ部を介して連結して構成され、前記コネクタパネルの取り付けは、前記２つの部材の一方の部材にて行われ、前記スライドは、少なくとも、前記コネクタパネルを取り付けた前記一方の部材及び前記ヒンジ部が外方へ突出する位置まで可能とされたことを特徴とする。
【００１５】
したがって、コネクタパネルはヒンジ部が外方へ突出するまで、すなわち、ヒンジ部によって一方の部材が回動可能となる位置までスライドさせることで、上記の一方の部材の回動が可能となる。これにより、ＳＣコネクタ付きコード等の引き回し方向を変えることができる。したがって、状況に応じたプラグの抜き差し方向の変更が可能となり、ＳＣコネクタ付きコード等の中継及び管理の作業をより一層容易に行うことが可能である。
【００１６】
請求項４に記載のパッチパネルの設置機構は、請求項２又は３に記載のパッチパネルの設置機構において、
前記ブラケットの前記コネクタパネル取付部には前記コネクタパネルをネジ止めするためのコネクタパネル固定片が設けられ、前記コネクタパネルは、略直交する複数の外側壁を有し、該各外側壁にはそれぞれネジ穴が形成され、前記コネクタパネルの前記コネクタパネル取付部への取り付けは、前記ネジ穴と前記コネクタパネル固定片でのネジによる締結によって行われることを特徴とする。
【００１７】
したがって、コネクタパネルをコネクタパネル取付部へ取り付けるとき、ネジ穴が形成された外側壁を選択することで、９０度毎にコネクタパネルの取り付け方向を変えることができる。これにより、コネクタに接続されたＳＣコネクタ付きケーブル等の引き回し方向が変化できると共にコネクタへ抜き差しするプラグの抜き差し方向を変えることができるので、ＳＣコネクタ付きコード等の中継及び管理の作業を更に一層容易に行うことが可能である。またＳＣコネクタ付きコード等の整線作業においても、引き回し方向が変えられるので容易に行うことが可能である。
【発明の効果】
【００１８】
本発明のパッチパネルの設置機構によれば、通信用ラックの前面側だけでなく、背面側の空きスペースにも搭載可能であり、また、コネクタパネルが構成部材間に架け渡されて通信用ラック内のスペースを分断する状態が生じることを回避することができる。したがって、通信用ラックの前面側により多くのネットワーク装置を搭載し、通信用ラックのスペースを有効に活用することができる。また、コネクタパネルの取り付け方向の融通性も向上し、通信用ラックにおける通信用ケーブルの中継及び管理の作業の効率を向上させることが可能となる。更に、実際に使用するポート数分の構成で良いため、従来の既存パッチパネルに比較して低コスト化が実現できる。
【図面の簡単な説明】
【００１９】
【図１】本発明のパッチパネルの設置機構に係り、コネクタパネルとブラケットの概略斜視図である。
【図２】本発明のパッチパネルの設置機構に係り、コネクタパネルをブラケットへ固定した例を示す概略斜視図である。
【図３】本発明のパッチパネルの設置機構に係り、コネクタパネルをブラケットへ固定した例を示す概略斜視図である。
【図４】本発明のパッチパネルの設置機構に係り、コネクタパネルをブラケットへ固定した例を示す概略斜視図である。ただし、同図（ａ）はコネクタパネルをスライドさせた場合、同図（ｂ）はコネクタパネルを回転させた場合について示す。
【図５】本発明のパッチパネルの設置機構に係り、通信用ラックに取り付けた例を示す概略斜視図である。ただし、従来のパッチパネルも参考のため示している。
【図６】従来の通信用ラックに搭載したパッチパネルについての概略斜視図である。
【発明を実施するための形態】
【００２０】
本発明の実施の形態を、以下、図面を参照しながら詳述する。図１は、本発明のパッチパネルの設置機構に係り、コネクタパネルとブラケットの概略斜視図である。パッチパネルの設置機構１０は、コネクタパネル１２とブラケット１６を有し、コネクタパネル１２は、ブラケット１６を介して通信用ラック３２のマウントアングル３４−１〜３４−４の何れか１つに１箇所で取り付けられる（後述の図５参照）。
【００２１】
コネクタパネル１２は、コネクタ３８を挿入・固定するコネクタ取付部１４ａと、このコネクタ取付部１４ａに連続し、かつその面に略直交して延在する外側壁であるコネクタパネル固定部１４ｃ、１４ｄを有する。本実施の形態では、コネクタ取付部１４ａは、略矩形状であり、長辺に沿って４つの取付穴１４ｂが形成されており、コネクタ３８が挿入・固定される。したがって、コネクタ取付部１４ａの大きさは、長辺がコネクタ３８の略４個乃至５個分の長さ、短辺がコネクタ３８の略１個乃至２個分の長さを有する。
【００２２】
コネクタパネル固定部１４ｃ、１４ｄは、コネクタ取付部１４ａの一の長辺及び一の短辺から略直角に折れ曲がり、上記の穴部１４ｂにコネクタ３８が挿入された場合に、コネクタ取付部１４ａから突出する長さ分だけそれぞれ延在している。本実施の形態では一の長辺から直角に折れ曲がって延在する外側壁を第１コネクタパネル固定部１４ｃ、一の短辺から直角に折れ曲がって延在する外側壁を第２コネクタパネル固定部１４ｄとしている。なお、コネクタ取付部１４ａの取付穴１４ｂの個数は４として、コネクタ３８が４個搭載可能としているが、これは一例であり、その個数は４個に限られない。例えば、実用上好ましい例として、コネクタ取付部１４ａの大きさを、コネクタ３８が１０個程度まで搭載可能な大きさにしても良い。
【００２３】
上記のコネクタパネル１２のコネクタ取付部１４ａ、第１コネクタパネル固定部１４ｃ、第２コネクタパネル固定部１４ｄには、ネジ穴１４ｅが複数設けられており、これにより後述するブラケット１６のコネクタパネル取付部２４のコネクタパネル固定片２５との取り付けにおいて、取り付け方向が一方向に限定されることがない。
【００２４】
ブラケット１６は、通信用ラックに固定されるブラケット固定部２０と、コネクタパネル１２が取り付けられるコネクタパネル取付部２４を有する。コネクタパネル取付部２４は、レール機構部２２を有する。このレール機構部２２は、略矩形状に形成されたブラケット１６の土台部１８の長手方向の両側の縁部から土台部１８の前面側に向かって垂直に突出形成され、更に先端部が折り曲げられて、断面がいわゆるコの字型のレール部２４ａと、このレール部２４ａに沿って移動するスライド部２４ｃを有する構成になっている。なお、土台部１８の前面側とは、スライド部２４ｃが移動する側の面である。また、スライド部２４ｃは、後述するように第１スライド部２４ｃ−１と第２スライド部２４ｃ−２がヒンジ部２８を介して連結されている。スライド部２４ｃの移動する方向を矢印１０１、１０２で示している。
【００２５】
ブラケット固定部２０は、土台部１８のスライド部２４ｃが移動する方向の一端側に、この土台部１８の面に直交する方向で土台部１８の前面側と反対方向に、若しくはレール部２４ａが突出形成された方向とは反対の方向に突出形成されている。このブラケット固定部２０には、マウントアングル３４に形成されたネジ穴４８と螺合するボルトが貫通する貫通穴２０ａ、２０ｂが形成されており、ブラケット固定部２０の大きさは、ブラケット１６をマウントアングル３４に固定する際に固定し易いように適宜大きさが決められている。
【００２６】
レール部２４ａの土台部１８の前面側に向かって垂直に突出形成された面には、スリット部２４ｄが設けられており、このスリット部２４ｄ内をスライド部固定ネジ２４ｂがスライド部２４ｃの移動と共に移動するように構成されている。所定の位置でスライド部２４ｃを固定するときには、このスライド部固定ネジ２４ｂを締めてスライド部２４ｃがレール部２４ａと締結できるように構成されている。
【００２７】
スライド部２４ｃの長手方向の一端部には、コネクタパネル１２をネジ止めするためのコネクタパネル固定片２５が、スライド部２４ｃの移動方向に直交して突出形成されている。コネクタパネル固定片２５とブラケット固定部２０とは同一方向に面しており、ブラケット１６の土台部１８の面に対してそれぞれ反対方向に突出している。
【００２８】
コネクタパネル固定片２５には貫通穴２５ａが２つ設けられており、このコネクタパネル固定片２５の裏側に、コネクタパネル１２の第１コネクタパネル固定部１４ｃ、第２コネクタパネル固定部１４ｄ又はコネクタ取付部１４ａの何れかの面を合わせ、それらの面に形成されたネジ穴１４ｅに固定用ネジ３０を螺合させて両者が固定されることとなる。
【００２９】
また、スライド部２４ｃの略中央には、回転機構部２６が設けられている。回転機構部２６は、大きさが土台部１８と略同一であるスライド部２４ｃを、略中央で２つに分割して第１スライド部２４ｃ−１と第２スライド部２４ｃ−２とに分割し、ヒンジ部２８でそれらを連結した構成になっている。２つのスライド部２４ｃ１、２４ｃ２はヒンジ部２８により、同一平面内にあるか、又は折れ曲がって互いに直交するように構成されている。詳細は後で図を用いて説明する。
【００３０】
なお、本実施の形態においては、コネクタパネル１２はブラケット１６を介して通信用ラックのマウントアングルに取り付けられる例を説明しているが、ブラケット１６を介さずに直接コネクタパネル１２をマウントアングルに取り付けても良い。その他、両面テープにより貼り付け等で取り付けても良い。
【００３１】
図２、図３は、コネクタパネル１２をブラケット１６に取り付けた場合の様々な取付例を示す。図２（ａ）は、ブラケット１６のスライド部２４ｃのコネクタパネル固定片２５の裏側にコネクタパネル１２の第２コネクタパネル固定部１４ｄを取り付けた様子を示す。図２（ｂ）は、ブラケット１６のスライド部２４ｃのコネクタパネル固定片２５の裏側にコネクタパネル１２の第１コネクタパネル固定部１４ｃを取り付けた様子を示す。
【００３２】
図３（ａ）は、ブラケット１６のスライド部２４ｃの中継器固定２５の裏側にコネクタパネル１２のコネクタ取付部１４ａを、コネクタ３８が縦に並ぶように取り付けた様子を示す。図３（ｂ）は、ブラケット１６のスライド部２４ｃのコネクタパネル固定片２５の裏側にコネクタパネル１２のコネクタ取付部１４ａを、コネクタ３８が水平に並ぶように取り付けた様子を示す。
【００３３】
図４（ａ）は、図２（ａ）に示した状態から、スライド部２４ｃを移動させ、第２スライド部２４ｃ−２とヒンジ部２８を外方へ突出させた状態を示す。コネクタパネル１２の位置は、スライド部固定ネジ２４ｂを緩めてスライド部２４ｃを移動させ、所定の位置まで移動させたら、スライド部固定ネジ２４ｂを締めることで変えることができる。図４（ｂ）は、図４（ａ）に示した状態から、回転機構部２６により、コネクタパネル１２を矢印１０３で示した方向へ９０度回転させた状態を示す。このように、スライド部２４ｃに設けられた回転機構部２６は、第２スライド部２４ｃ−２をヒンジ部２８により、９０度折り曲げることが可能であるが、図示したように第２スライド部２４ｃ−２の背面側がブラケット固定部２０と相対するようにのみ折れ曲がるように構成されている。第１スライド部２４ｃ−１と第２スライド部２４ｃ−２の平行又は折れ曲がり状態はロック機構によりその状態が固定されるように構成されている。
【００３４】
図４で示したコネクタパネル１２のスライドと回転により、通信用ケーブルであるＳＣコネクタ付きコード４０を引き出して密集した状況を回避させ、ＳＣコネクタ付きコード４０の引き回し方向が変えられると共に、コネクタ３８に抜き差しされるプラグの挿入方向を９０度変えられるので、ＳＣコネクタ付きコード４０の中継及び管理の作業を更に一層容易に行うことが可能である。また、ＳＣコネクタ付きコード４０の整線作業においても引き回し方向が変えられるので容易に行うことが可能である。
【００３５】
以上、図示したように、コネクタパネル１２とブラケット１６との結合状態は様々な姿態が可能であり、実際に用いる通信用ラック３２に既に搭載されているネットワーク装置等との関係において最適な姿態が選ばれることとなる。なお、何れの姿態からも、コネクタパネル１２は取り付け方向を簡単に他の方向に変更可能である。
【００３６】
図５（ａ）は、本発明のパッチパネルの設置機構を通信用ラックに搭載した一例を示す。図５（ｂ）は同図（ａ）の部分拡大斜視図である。通信用ラック３２の前面側及び背面側に、パッチパネルの設置機構１０が搭載されている。参考のために既存パッチパネル３６も図示されている。
【００３７】
本発明のパッチパネルの設置機構１０を用いれば、通信用ラック３２の前面側だけでなく、背面側の開きスペースにも搭載可能となる。また、コネクタパネル１２がマウントアングル３４−１、３４−２間に架け渡されて通信用ラック３２内のスペースを分断する状態は生じない。したがって、通信用ラック３２の前面側により多くのネットワーク装置を搭載し、通信用ラック３２のスペースを有効に活用することができる。また、コネクタパネル１２の取り付け方向には融通性があり、またコネクタパネル１２はスライド及び回転が可能であるので、ＳＣコネクタ付きコード４０の密集した状況を回避させ、所定のＳＣコネクタ付きコード４０を取り分けて引き回し方向を変えることが可能である。したがって、ＳＣコネクタ付きコード４０の保守・管理の作業効率が大幅に向上することとなる。また、実際に使用するポート数分だけの構成が可能であるので、従来のパッチパネルに比較してコストを下げることができる。更に、本発明のパッチパネルの設置機構１０を複数台使用することにより、既存のパッチパネルを任意のポート単位で分割して搭載することが可能であるので、ＳＣコネクタ付きコード４０の保守・管理をより一層効率良く行うことができる。
【００３８】
なお、本発明は、上述の実施の形態に限定されるものではなく、本発明の趣旨を逸脱しない範囲で種々の変更が可能である。例えば、コネクタパネル１２のコネクタ取付部１４ａは略矩形状のものを示したが、その他の形状、例えば略正方形状であっても良い。また、コネクタ取付部１４ａに取り付けられるコネクタ３８の数を４として示したが、この数に限定されない。更に、コネクタ３８としてＳＣアダプタを例示したが、ＬＣアダプタ、ＲＪ−４５ジャックであっても良い。
【符号の説明】
【００３９】
１０  パッチパネルの設置機構
１２  コネクタパネル
１４ａ  コネクタ取付部
１４ｂ  取付穴
１４ｃ  第１コネクタパネル固定部
１４ｄ  第２コネクタパネル固定部
１４ｅ  取付ネジ穴
１６、４２  ブラケット
１８  土台部
２０  ブラケット固定部
２２  レール機構部
２４  コネクタパネル取付部
２４ａ  レール部
２４ｂ  スライド部固定ネジ
２４ｃ  スライド部
２４ｃ−１  第１スライド部
２４ｃ−２  第２スライド部
２４ｄ  スリット部
２５  コネクタパネル固定片
２６  回転機構部
２８  ヒンジ部
３０  固定用ネジ
３２  １９インチラック（通信用ラック）
３４  マウントアングル（構成部材）
３６  パッチパネル
３８  コネクタ
４０  ＳＣコネクタ付きコード
４４  本体
４８  ネジ穴
【図１】
2011060988.tif 000003
【図２】
2011060988.tif 000004
【図３】
2011060988.tif 000005
【図４】
2011060988.tif 000006
【図５】
2011060988.tif 000007
【図６】
2011060988.tif 000008